(57)【特許請求の範囲】
【請求項１】
異なる加入者線路群と交換機間に独立して接続され、多段マトリクスを用いて、その加入者線路群中の任意の加入者線路と交換機間の通話路を開設する複数の基本リンク構造と、
多段マトリクスを有し、任意の前記基本リンク構造中の多段マトリクスから特定の前記加入者線路を抜き出して他の基本リンク構造に渡り接続する渡り専用リンク構造とを備え、
前記各基本リンク構造中の多段マトリクスにおける中間段マトリクスは、前記渡り専用リンク構造に対するインタフェースをそれぞれ有し、前記渡り接続は前記中間段のマトリクスで行う構成にしたことを特徴とする自動主配線盤装置の大規模リンク構造。
【請求項２】
前記各中間段のマトリクスを有するインタフェースは、前記渡り専用リンク構造に対する出と入りの配線が共用使用される構成にしたことを特徴とする請求項１記載の自動主配線盤装置の大規模リンク構造。
【請求項３】
前記渡り専用リンク構造は複数とし、
前記基本リンク構造から抜き出された加入者線路は、選択により前記複数の渡り専用リンク構造のいずれの入側にも接続できる構成とし、その加入者線路は該選択された渡り専用リンク構造を介して、前記他の基本リンク構造に渡り接続される構成にしたこと特徴とする請求項１または２記載の自動主配線盤装置の大規模リンク構造。
【発明の詳細な説明】
【０００１】
【産業上の利用分野】
本発明は、電話交換機と加入者線路を結ぶ主配線盤（以下、ＭＤＦという）のジャンパリングを行う自動ＭＤＦ装置に使用される大規模リンク構造に関するものである。
【０００２】
【従来の技術】
従来、小規模のリンク構造は存在したが、経済性或いは設置スペース等の問題から、自動ＭＤＦ装置に使用されるリンク構造で、大規模のものはなかった。
【０００３】
【発明が解決しようとする課題】
そのため、従来の電話局等では、次のような課題があった。
電話局等の大局では、複数の交換機と、該交換機と加入者線路を結ぶ手動の大規模配線盤とを用い、任意の加入者と所望の交換機の端子を接続するようにしていた。ところが、大局を運営する電話会社では人間の作業を介在させてその問題の解消に当たっていたが、これは局の無人化と遠隔保守化に対する障害となっていた。
【０００４】
【課題を解決するための手段】
本発明は、前記課題を解決するために、自動ＭＤＦ装置の大規模リンク構造において、異なる加入者線路群と交換機間に独立して接続され、多段マトリクスを用いて、その加入者線路群中の任意の加入者線路と交換機間の通話路を開設する複数の基本リンク構造を備え、さらに、多段マトリクスを有し、任意の前記基本リンク構造中の多段マトリクスから特定の前記加入者線路を抜き出して他の前記基本リンク構造に渡り接続する渡り専用リンク構造を、設けている。
【０００５】
【作用】
本発明によれば、以上のように自動ＭＤＦ装置の大規模リンク構造を構成したので、複数の基本リンク構造が、その基本リンク構造に接続された所望の加入者線路を、多段マトリクスの差点の選択で交換機に接続する。一方、渡り専用リンク構造は、任意の前記基本リンク構造中の多段マトリクスから特定の加入者線路を抜き出して他の基本リンク構造に渡り接続する。そのため、特定の加入者線路は渡り接続された基本リンクを介して交換機に接続され、通話路が形成される。従って、前記課題を解決できるのである。
【０００６】
【実施例】
第１の実施例
図１（ａ），（ｂ）は、本発明の第１の実施例を示す大規模リンク構造の説明図である。
この大規模リンク構造を有する自動ＭＤＦ装置は、２０００端子規模の小規模ＭＤＦ装置をベースに構成し、その１２倍の２４０００端子規模のＭＤＦ装置である。図１の２４０００端子規模の自動ＭＤＦ装置の大規模リンク構造は、加入者線路群と交換機間に接続された２０００端子ベースの渡りインタフェース付き基本リンク構造である１２台の基本接続装置Ａ１〜Ａ１２と、その基本接続装置Ａ１〜Ａ１２間の渡りを専用に司どる渡り専用リンク構造である渡り専用装置Ｂ１とで構成されている。渡り専用装置Ｂ１は、２０００端子ベースの基本接続装置Ａ１〜Ａ１２と基本構成が同一である。各基本接続装置Ａ１〜Ａ１２と渡り専用装置Ｂ１の局での配置は、例えば図１（ｂ）のようになっている。
各基本接続装置Ａ１〜Ａ１２および渡り専用装置Ｂ１の基本構成は、それぞれ４８（または５０）×６４の小規模マトリクスを用いた３段マトリクスのリンク構成である。各３段マトリクスの１段目のマトリクス群は６４個の小規模マトリクスＭｆ１  〜Ｍｆ６４、各２段目のマトリクス群は６４個の小規模マトリクスＭｓ１  〜Ｍｓ６４、３段目のマトリクス群は４８個の小規模マトリクスＭｔ１  〜Ｍｔ４８でそれぞれ形成されている。但し、各基本接続装置Ａ１〜Ａ１２における２段目の小規模マトリクスＭｓ１  〜Ｍｓ６４に、渡り用インタフェースが設けられている。
【０００７】
図２は、図１中の小規模マトリクスＭｓにおける渡り用インタフェースを示す平面図である。
基本接続装置Ａ１〜Ａ１２中の各小規模マトリクスＭｓ１  〜Ｍｓ６４は共通であり、６４回線の入回線Ｌｉの他に、４回線の渡り用入回線Ｉｗがそれぞれ追加されている。また、４８回線の出回線Ｌｏの他に、４回線の渡り用出回線Ｏｗが追加されている。これら渡り用入回線Ｉｗと渡り用出回線Ｏｗが渡り用インタフェースになる。入回線Ｌｉ及び渡り用入回線Ｉｗが平行であり、出回線Ｌｏ及び渡り用出回線Ｏｗが平行である。入回線Ｌｉ及び渡り用入回線Ｉｗと、出回線Ｌｏ及び渡り用出回線Ｏｗとが交差配置され、選択用差点を形成している。
各基本接続装置Ａ１〜Ａ１２の２段目の６４個の小規模マトリクスＭｓ１  〜Ｍｓ６４が、すべて図２のように出入り各４回線分の渡り用インタフェースを持つので、各基本接続装置Ａ１〜Ａ１２は、１台あたりそれぞれ２５６（＝４×６４）回線分の出と入りとを持つことになる。この回線数は、渡り接続の必要量に応じて増加させることが可能である。一方、渡り専用装置Ｂ１内の各小規模マトリクスＭｓ１  〜Ｍｓ６４は、基本接続装置Ａ１〜Ａ１２中の小規模マトリクスＭｓ１  〜Ｍｓ６４における渡り用インターフェースの機能をそれぞれ削除したものである。実用上は、基本接続装置Ａ１〜Ａ１２中の小規模マトリクスＭｓ１  〜Ｍｓ６４と同じ物を搭載し、そのインターフェース機能を用いずに運用することも可能である。また、渡り専用装置Ｂ１内の小規模マトリクスＭｓ１  〜Ｍｓ６４の有した渡り用インタフェースの構造を利用することで、渡り接続量を増加をさせることも可能となる。この場合の配線は、図１中の点線のようになる。
【０００８】
次に、大規模リンク構造の動作を、図１および図２を参照しつつ説明する。
例えば、電話番号を変更せずに転居し、同じ電話番号のまま対象加入者が、他の加入者線路に収容された場合、特定の交換機の端子と転居加入者間の回線形成を行うために、渡り専用装置Ｂ１が用いられる。図１のように、転居加入者が基本接続装置Ａ１２中の小規模マトリクスＭｆ1 の入側に、加入者線路で接続されている場合、小規模マトリクスＭｆ1 中の差点が選択され、対象加入者線路は２段目の小規模マトリクスＭｓ64に接続される。小規模マトリクスＭｓ64は、図２のような差点の選択を行い、対象加入者線路を渡り用出回線Ｏｗのうちの１回線に接続する。その結果、対象加入者線路が、渡り専用装置Ｂ１の１段目の小規模マトリクスＭｆ64の入側に抜き出されて接続される。渡り専用装置Ｂ１において、小規模マトリクスＭｆ64上の差点の選択より、対象加入者線路は２段目の小規模マトリクスＭｓ1 に接続される。続いて、小規模マトリクスＭｓ1 上の差点の選択で、対象加入者線路は３段目の小規模マトリクスＭｔ1 に接続される。渡り専用装置Ｂ１中の小規模マトリクスＭｔ1 まで接続された対象加入者線路は、小規模マトリクスＭｔ1 上の差点の選択によって、例えば、基本接続装置Ａ１の２段目の小規模マトリクスＭｓ1 の渡り用入回線Ｉｗに接続される。即ち、その加入者線路は、基本接続装置Ａ１２から基本接続装置Ａ１に渡って接続されたことになる。
基本接続装置Ａ１において、小規模マトリクスＭｓ1 上の差点の選択で、加入者線路は３段目の小規模マトリクスＭｔ1 に接続され、対象加入者線路は小規模マトリクスＭｔ1 上の差点の選択で、所望の交換機の端子に接続される。
【０００９】
以上のように、本実施例では、基本接続装置Ａ１〜Ａ１２に加えて、小規模の渡り専用装置Ｂ１を設け、任意の基本接続装置から特定の加入者線路を抜き出し、他の基本接続装置に渡らせて交換機に接続するようにしている。そのため、従来技術では介在していた人間の作業を省くことが可能となり、省力化と遠隔保守化の面が大きく進歩するとともに、サービス即応力についても向上する。また、渡り接続が３段マトリクスの中間段の２段目の小規模マトリクスによって行われるので、その渡り専用装置Ｂ１の規模を大きくせずとも、充分な渡り量が確保できる。もちろん、交換機との接続に際し、大部分の加入者線路は渡り接続を必要としないことが、経験上知られているが、本実施例の大規模リンク構造によれば、渡り量に応じた大規模ＭＤＦ装置を、コスト、スペース、ケーブル等の増分をミニマムに抑えて実現できる。
【００１０】
第２の実施例
図３（ａ），（ｂ）は、本発明の第２の実施例を示す大規模リンク構造の説明図である。
この大規模リンク構造を有する自動ＭＤＦ装置は、２０００端子規模の小規模ＭＤＦ装置をベースに構成し、その１２倍の２４０００端子規模のＭＤＦ装置である。図３の２４０００端子規模のＭＤＦ装置の大規模リンク構造は、第１の実施例と同様に、加入者線路群と交換機間に接続された１２台の２０００端子ベースの渡りインタフェース付き基本リンク構造である基本接続装置Ａ２１〜Ａ３２と、その基本接続装置Ａ２１〜Ａ３２間の渡りを専用に司どる渡り専用リンク構造である渡り専用装置Ｂ２とで構成されている。渡り専用装置Ｂ２は、２０００端子ベースの基本接続装置Ａ２１〜Ａ３２と基本構成が同一である。各基本接続装置Ａ２１〜Ａ３２と渡り専用装置Ｂ２の局での配置は、例えば図３（ｂ）のようになっている。
【００１１】
各基本接続装置Ａ２１〜Ａ３２および渡り専用装置Ｂ２の基本構成は、４８（または５０）×６４の小規模マトリクスを用いた３段マトリクスのリンク構成である。各３段マトリクスの１段目のマトリクス群は、６４個の小規模マトリクスＭｆ１  〜Ｍｆ６４、２段目のマトリクス群は６４個の小規模マトリクスＭｓ１  〜Ｍｓ６４、３段目のマトリクス群は４８個の小規模マトリクスＭｔ１  〜Ｍｔ４８でそれぞれ形成されている。但し、各基本接続装置Ａ２１〜Ａ３２における２段目の小規模マトリクスＭｓ１  〜Ｍｓ６４には、渡り用インタフェースがそれぞれ設けられている。
【００１２】
図４は、図３中の小規模マトリクスＭｓにおける渡り用インタフェースを示す平面図である。
基本接続装置Ａ２１〜Ａ３２中の各小規模マトリクスＭｓ１  〜Ｍｓ６４は共通であり、６４回線分の入回線Ｌｉおよび４８回線分の出回線Ｌｏを有し、さらに、４本の渡り用出入回線Ｌｗがそれぞれ追加されている。出入回線Ｌｗは、４８回線の出回線Ｌｏと平行であり、出入回線Ｌｗおよび出回線Ｌｏは、６４回線の入回線Ｌｉと直交配置されて差点を形成している。これら渡り用出入回線Ｌｗが渡り用インタフェースになる。基本接続装置Ａ２１〜Ａ３２間の渡りを行うために、小規模マトリクスＭｓ１  〜Ｍｓ６４から特定の加入者線路を抜き出す場合、差点の選択で４回線の出入回線Ｌｗのうちの１回線を選択する。逆に、渡り専用装置Ｂ２からの渡りに対しては、その渡りの出入回線Ｌｗ上の差点と、４８回線の出回線Ｌｏのうちの１回線を選択する差点の、２差点を選択することで、３段目の小規模マトリクスＭｔ１  〜Ｍｔ４８に加入者線路を接続する構造である。
【００１３】
各基本接続装置Ａ２１〜Ａ３２の２段目の６４個の小規模マトリクスＭｓ1 〜Ｍｓ64が、すべて図４のような４回線の渡り用インタフェースを持つので、各基本接続装置Ａ２１〜Ａ３２は、それぞれ２５６（＝４×６４）回線分のインタフェースを持つことになる。この回線数は、各Ｍｓでの渡り用インタフェースの回線数を増やすことで、渡り接続の必要量に応じて増加させることが可能である。
これら渡り用インタフェースの実用上で特徴的なことは、１２台の基本接続装置Ａ２１〜Ａ３２において、渡り専用装置Ｂ２に対する２５６（＝４×６４）回線の出入回線Ｌｗのうち、渡り用出回線として使用される数と渡り用入回線として使用される数が、装置毎に異なることである。一方、渡り専用装置Ｂ２は中継機能を果たすものであり、基本接続装置Ａ２１〜Ａ３２に対する入回線と出回線の数が必ず一致する。図３の例で説明すると、２５６×１２（＝３０７２）の全出入回線Ｌｗのうち、最大使用状況では、入りが１５３６回線、出が１５３６回線となる。従って、実用化には、これらの条件を満足させる構成方法が、重要となる。
【００１４】
ここで、各基本接続装置Ａ２１〜Ａ３２の２５６回線の出入回線Ｌｗの入出配分を、実用性を踏まえて、最大１：３〜３：１までとする構成方法を説明する。
渡り専用装置Ｂ２を、図３のように３段マトリクスのリンク構成とし、渡り専用装置Ｂ２の全２３０４回線の出回線を、入回線の所要分に対してマルチ接続する。これにより、渡り専用装置Ｂ２の入回線（出入回線Ｌｗ）３０７２回線のうち、入回線専用となるのは、７６８回線となる。入回線の必要量の１５３６回線のうち、残りの７６８回線はマルチ接続されたものとなる。渡り専用装置Ｂ２の必要出回線の１５３６回線は、マルチ接続された出入回線Ｌｗのうち、入回線として使用されないものが選択されて適用される。この選択は、制御ソフトで容易に実現できる。この構成方法で、渡り専用装置Ｂ２は、各基本接続装置Ａ２１〜Ａ３２からの１：３〜３：１の渡り入出配分に対し、効率よく渡りパスを提供するようになる。
図３の大規模リンク構造を有した大規模ＭＤＦ装置では、第１の実施例と同様に、各基本接続装置Ａ２１〜３２および渡り専用装置Ｂ２中の小規模マトリクスの差点の選択で、特定の加入者線路に対して渡り接続を行い、所望の交換機の端子にその加入者を接続する。
以上のように、本実施例では、基本接続装置Ａ２１〜Ａ３２中の小規模マトリクスＭｓ１  〜Ｍｓ６４に、渡りインタフェースとして渡り用出入回線Ｌｗを設け、渡り専用装置Ｂ２に対する出と入りを共用使用するようにしている。そのため、第１の実施例の効果に加え、さらに、渡りのためのケーブル数を圧縮することが可能となる。
なお、本発明は、上記実施例に限定されず種々の変形が可能である。その変形例としては、例えば次のようなものがある。
【００１５】
（１）  第１及び第２の実施例では、２０００端子規模のＭＤＦ装置をベースに構成した２４０００端子規模の大規模リンク構造について説明しているが、２０００端子規模をベースにする必要はなく、１０００端子、４０００端子規模をベースに大規模リンク構造を構成してもよい。さらに、大規模リンク構造を２４０００端子規模に限定するものでもない。
これまでは説明をやさしくするために渡り専用装置を１台で進めてきたが、この本質は次の通りである。
図５（ａ），（ｂ）は、本発明を示す大規模リンク構造の説明図である。
上記やさしい実施例を理解した上で一般的な大規模なリンク構造を実現する方法を述べる。多段マトリクスを有した複数の基本リンク構造である基本接続装置Ｃ１〜Ｃｎと、それぞれ多段マトリクスを有した渡り用リンク構造である複数の渡り専用装置Ｄ１〜Ｄｍとを備えている。各基本接続装置Ｃ１〜Ｃｎ中の２段目の小規模マトリクスに渡り量に対応した渡り用の入インタフェースと渡り用の出インタフェースを設け、それらインタフェースが、渡り専用装置Ｄ１〜Ｄｍの入側と出側に分散されてそれぞれ接続されている。即ち、複数の渡り専用装置Ｄ１〜Ｄｍが、１つの渡り機構を形成し、特定の加入者線路に対して基本接続装置Ｃ１〜Ｃｎ間の渡り接続を行い、該加入者線路が、所望の交換機の端子に接続される。加入者線路と交換機間に独立に接続されたｎ台の基本接続装置Ｃ１〜Ｃｎによって、加入者線路が交換機に接続されるが、任意の相互接続を可能にするため渡り専用装置Ｄ１〜Ｄｍが用いられる。例えば、加入者線路Ｌｉは基本接続装置ＣｎのマトリクスＭｆ64及びＭｓ1 を介して渡り専用装置Ｄｍに抜き出され、装置Ｄｎ中の各マトリクスＭｆ64，Ｍｓ1 ，Ｍｔ64での選択で、基本接続装置Ｃ１中のマトリクスＭｓ1 に渡り接続される。そして、加入者線路は、基本接続装置Ｃ１中のマトリクスＭｔ1 を介してＬｏに出て交換機に接続される。
（２）  各段マトリクスを４８×６４或は５０×６４の小規模マトリクスで構成しているが、この規模に限定されない。
（３）  第１の実施例における渡り用入回線Ｉｗ、渡り用出回線Ｏｗ、及び渡り用出入回線Ｌｗは、１つの小規模マトリクス当たり４回線としているが、６，８回線等、渡り数に応じて任意に変化させてもよい。
【００１６】
【発明の効果】
以上詳細に説明したように、本発明によれば、異なる加入者線路群と交換機間に独立して接続された複数の基本リンク構造と、多段マトリクスを有し、任意の基本リンク構造中の多段マトリクスから特定の加入者線路を抜き出して他の基本リンク構造に渡り接続する渡り専用リンク構造とで、自動ＭＤＦ装置の大規模リンク構造を構成ているので、従来技術では介在していた人間の作業を省くことが可能となり、省力化と遠隔保守化の面が大きく進歩するとともに、サービス即応力についても向上する。また、渡り量に応じた大規模ＭＤＦ装置を、コスト、スペース、ケーブル等の増分をミニマムに抑えて実現できるようになる。
【図面の簡単な説明】
【図１】本発明の第１の実施例を示す大規模リンク構造の説明図である。
【図２】図１中の小規模マトリクスＭｓにおける渡り用インタフェースを示す平面図である。
【図３】本発明の第２の実施例を示す大規模リンク構造の説明図である。
【図４】図３中の小規模マトリクスＭｓにおける渡り用インタフェースを示す平面図である。
【図５】本発明の大規模リンク構造の説明図である。
【符号の説明】
Ａ１〜Ａ１２，Ａ２１〜Ａ３２，Ｃ１〜Ｃｎ
基本リンク構造（基本接続装置）
Ｂ１，Ｂ２，Ｄ１〜Ｄｍ
渡り専用リンク構造（渡り専用装置）
Ｍｆ１  〜Ｍｆ６４，Ｍｓ１  〜Ｍｓ６４，Ｍｔ１  〜Ｍｔ４８
３段マトリクスを形成する小規模マトリクス
Ｉｗ，Ｏｗ，Ｌｗ
渡り用インタフェース
【図１】
0003620897.tif 000002
【図２】
0003620897.tif 000003
【図３】
0003620897.tif 000004
【図４】
0003620897.tif 000005
【図５】
0003620897.tif 000006